(57)【要約】【課題】貯水容器の水量を複数の段階で検出し、見易く分かり易い水量表示を行うことのできる加湿機能付空気清浄機を提供することを目的としている。【解決手段】貯水容器６の側面に水量検出手段としての液位センサー１０を配置し、貯水容器６の水量レベルに応じて液位センサー１０の出力電圧信号のリニア変化を検出することにより、貯水容器６の水量を判定し７セグメントＬＥＤ４に表示することができ、見易く分かり易い水量表示の加湿機能付空気清浄機が得られる。【選択図】図１
2012077940.tif 000002
【特許請求の範囲】
【請求項１】
吸気口と排気口を有する本体ケースと、この本体ケース内に設けた空気清浄手段と加湿手段と、前記吸気口から室内の空気を前記空気清浄手段と前記加湿手段を介して前記本体ケース内に吸気し、前記排気口より室内に排気する風路に送風手段と、前記加湿手段に水を供給する貯水容器と、この貯水容器の水量を検出する水量検出手段と、空気中の湿度を検出する湿度検出手段と、デジタル表示手段を備えた加湿機能付空気清浄機において、前記水量検出手段は貯水容器の水量を複数の段階で水量を検出し、検出した水量を前記デジタル表示手段に表示することを特徴とする加湿機能付空気清浄機。
【請求項２】
デジタル表示手段は、貯水容器の水量を貯水容器の満水状態に対する割合表示を行うことを特徴とする請求項１記載の加湿機能付空気清浄機。
【請求項３】
デジタル表示手段は、貯水容器の水量の割合に応じて、割合表示の色を変化させることを特徴とする請求項２記載の加湿機能付空気清浄機。
【請求項４】
室温を検出する温度検出手段を備え、この温度検出手段により検出した室温と、湿度検出手段により検出した湿度と、送風手段の風量により、水量検出手段が検出した貯水容器の水量で運転可能な時間を演算処理する制御部を有することを特徴とする請求項１から３いずれか一項に記載の加湿機能付空気清浄機。
【請求項５】
デジタル表示手段は、送風手段の風量を設定し運転開始する時に貯水容器の水量で運転可能な時間を一時的に表示することを特徴とする請求項４記載の加湿機能付空気清浄機。
【請求項６】
デジタル表示手段の表示を、貯水容器の水量表示に設定するか運転可能な時間表示に設定するか任意に設定することの出来る切替スイッチを備えたことを特徴とする請求項４記載の加湿機能付空気清浄機。
【請求項７】
温度、湿度、風量、水量を定期的にサンプリングし、デジタル表示手段の表示が運転可能な時間表示の場合、運転可能な時間表示を更新していくことを特徴とする請求項６記載の加湿機能付空気清浄機。
【請求項８】
デジタル表示手段は、運転可能な時間表示の残り時間に応じて、時間表示の色を変化させることを特徴とする請求項７記載の加湿機能付空気清浄機。
【発明の詳細な説明】
【技術分野】
【０００１】
本発明は、空気を浄化しながら加湿することのできる加湿機能付空気清浄機に関する。
【背景技術】
【０００２】
従来、この種の加湿機能付空気清浄機は下記に記載されたものが知られている（例えば、特許文献１参照）。
【０００３】
以下、その加湿機能付空気清浄機について図１５および図１６を参照しながら説明する。
【０００４】
図１５に示すように空気清浄機本体１０１には、空気を浄化するためのフィルター１０２と、フィルター１０２に通風するファンモーター１０３と、空気を加湿する加湿ユニット１０４と、表示部１０５とを備えている。また、図１６に加湿ユニット１０４の内部構造を示すように、貯水容器１０６と貯水容器の水の有無を検出する水検出センサー１０７を備えている。
【０００５】
上記構成において、水検出センサー１０７は貯水容器１０６に水があるか無いかの有無のみを検出しており、貯水容器１０６の水が無いことを検出すると表示部１０５に渇水表示を行っている。
【先行技術文献】
【特許文献】
【０００６】
【特許文献１】特開２０１０−１１２７０５号公報
【発明の概要】
【発明が解決しようとする課題】
【０００７】
このような従来の加湿機能付空気清浄機では、貯水容器の水量ではなく水の有無のみを検出しており、貯水容器の状態表示も渇水の表示のみで製品動作中に貯水容器にどれだけの水があるか分からないという課題があり、貯水容器の水量を検出し表示することが要求されている。
【０００８】
また、貯水容器の残水量でどれだけの時間運転可能か分からないという課題があり、貯水容器の水量で運転可能な時間を表示することが要求されている。
【０００９】
本発明は、このような従来の課題を解決するものであり、貯水容器の水量を複数の段階で検出し、見易く分かり易い水量表示を行うことのできる加湿機能付空気清浄機を提供することを目的としている。
【００１０】
また、貯水容器の水量で運転可能な時間を表示することのできる加湿機能付空気清浄機を提供することを目的としている。
【課題を解決するための手段】
【００１１】
本発明の加湿機能付空気清浄機は上記目的を達成するために、吸気口と排気口を有する本体ケースと、この本体ケース内に設けた空気清浄手段と加湿手段と、前記吸気口から室内の空気を前記空気清浄手段と前記加湿手段を介して前記本体ケース内に吸気し、前記排気口より室内に排気する風路に送風手段と、前記加湿手段に水を供給する貯水容器と、この貯水容器の水量を検出する水量検出手段と、空気中の湿度を検出する湿度検出手段と、デジタル表示手段を備えた加湿機能付空気清浄機において、前記水量検出手段は貯水容器の水量を複数の段階で水量を検出し、検出した水量を前記デジタル表示手段に表示するようにしたものである。
【００１２】
この手段により、貯水容器の水量を複数の段階で検出し、見易く分かり易い水量表示を行うことのできる加湿機能付空気清浄機が得られる。
【００１３】
また、本発明の加湿機能付空気清浄機は、デジタル表示手段は、貯水容器の水量を貯水容器の満水状態に対する割合表示を行うようにしたものである。
【００１４】
この手段により、貯水容器の水量がどれだけ減っているかが簡単に分かり、使い勝手のよい加湿機能付空気清浄機が得られる。
【００１５】
また、本発明の加湿機能付空気清浄機は、デジタル表示手段は、貯水容器の水量の割合に応じて、割合表示の色を変化させるようにしたものである。
【００１６】
この手段により、貯水容器の水量がどれだけ減っているかが簡単に分かり、使い勝手のよい加湿機能付空気清浄機が得られる。
【００１７】
また、本発明の加湿機能付空気清浄機は、室温を検出する温度検出手段を備え、この温度検出手段により検出した室温と、湿度検出手段により検出した湿度と、送風手段の風量により、水量検出手段が検出した貯水容器の水量で運転可能な時間を演算処理する制御部を有するようにしたものである。
【００１８】
この手段により、タイマー運転時に貯水容器の水が無くならないよう運転を制御することができる加湿機能付空気清浄機が得られる。
【００１９】
また、本発明の加湿機能付空気清浄機は、デジタル表示手段は、送風手段の風量を設定し運転開始する時に貯水容器の水量で運転可能な時間を一時的に表示するようにしたものである。
【００２０】
この手段により、使用者が加湿運転を行う際に現在の貯水容器の水量で運転可能な時間を知ることができ、使用者が運転を行いたい時間未満であれば貯水容器に水を供給するよう促すことのできる使い勝手のよい加湿機能付空気清浄機が得られる。
【００２１】
また、本発明の加湿機能付空気清浄機は、デジタル表示手段の表示を、貯水容器の水量表示に設定するか運転可能な時間表示に設定するか任意に設定することの出来る切替スイッチを備えるようにしたものである。
【００２２】
この手段により、使用者が知りたい情報を選択することができ、使い勝手のよい加湿機能付空気清浄機が得られる。
【００２３】
また、本発明の加湿機能付空気清浄機は、温度、湿度、風量、水量を定期的にサンプリングし、デジタル表示手段の表示が運転可能な時間表示の場合、運転可能な時間表示を更新していくようにしたものである。
【００２４】
この手段により、空気の状況や水量などの条件変更に応じて、常に新しい運転可能な時間を知ることができ、使い勝手のよい加湿機能付空気清浄機が得られる。
【００２５】
また、本発明の加湿機能付空気清浄機は、デジタル表示手段は、運転可能な時間表示の残り時間に応じて、時間表示の色を変化させるようにしたものである。
【００２６】
この手段により、貯水容器の水量がどれだけ減っているか、あとどれだけ運転できるかが簡単に分かり、使い勝手のよい加湿機能付空気清浄機が得られる。
【発明の効果】
【００２７】
本発明によれば、吸気口と排気口を有する本体ケースと、この本体ケース内に設けた空気清浄手段と加湿手段と、前記吸気口から室内の空気を前記空気清浄手段と前記加湿手段を介して前記本体ケース内に吸気し、前記排気口より室内に排気する風路に送風手段と、前記加湿手段に水を供給する貯水容器と、この貯水容器の水量を検出する水量検出手段と、空気中の湿度を検出する湿度検出手段と、デジタル表示手段を備えた加湿機能付空気清浄機において、前記水量検出手段は貯水容器の水量を複数の段階で水量を検出し、検出した水量を前記デジタル表示手段に表示するようにしたことにより、貯水容器の水量を複数の段階で検出し、見易く分かり易い水量表示を行うことのできる加湿機能付空気清浄機が得られる。
【図面の簡単な説明】
【００２８】
【図１】本発明の実施の形態１の加湿機能付空気清浄機の外観斜視図
【図２】同加湿機能付空気清浄機の断面図
【図３】同加湿機能付空気清浄機の貯水容器の概略図
【図４】同加湿機能付空気清浄機の貯水容器の水量に対する液位センサー出力電圧の相関図
【図５】同加湿機能付空気清浄機の貯水容器の水量に対する７セグメントＬＥＤの水量表示の相関図
【図６】同加湿機能付空気清浄機の貯水容器の水量に対する７セグメントＬＥＤの水量割合表示と色表示の相関図
【図７】本発明の実施の形態２のブロック図
【図８】同風量弱における単位時間あたりの水消費量を示す図
【図９】同風量強における単位時間あたりの水消費量を示す図
【図１０】同貯水容器の水量で運転可能な時間の演算処理を示すフローチャート
【図１１】同貯水容器の水量で運転可能な時間を演算処理し一時的に表示する制御内容を示すフローチャート
【図１２】本発明の実施の形態３のブロック図
【図１３】同切替スイッチ制御と貯水容器の水量で運転可能な時間を演算処理し表示を更新する制御内容を示すフローチャート
【図１４】同運転可能時間に対する７セグメントＬＥＤの表示色を示す図
【図１５】従来の加湿機能付空気清浄機の外観斜視図
【図１６】同加湿ユニット部を引き出した状態の斜視図
【発明を実施するための形態】
【００２９】
本発明の請求項１記載の加湿機能付空気清浄機は、吸気口と排気口を有する本体ケースと、この本体ケース内に設けた空気清浄手段と加湿手段と、前記吸気口から室内の空気を前記空気清浄手段と前記加湿手段を介して前記本体ケース内に吸気し、前記排気口より室内に排気する風路に送風手段と、前記加湿手段に水を供給する貯水容器と、この貯水容器の水量を検出する水量検出手段と、空気中の湿度を検出する湿度検出手段と、デジタル表示手段を備えた加湿機能付空気清浄機において、前記水量検出手段は貯水容器の水量を複数の段階で水量を検出し、検出した水量を前記デジタル表示手段に表示するようにしたものであり、貯水容器の水量を複数の段階で検出し、見易く分かり易い水量表示を行うことができるという効果を有する。
【００３０】
また、本発明の請求項２記載の加湿機能付空気清浄機は、デジタル表示手段は、貯水容器の水量を貯水容器の満水状態に対する割合表示を行うようにしたものであり、貯水容器の水量がどれだけ減っているかが簡単に分かり、使い勝手がよいという効果を有する。
【００３１】
また、本発明の請求項３記載の加湿機能付空気清浄機は、デジタル表示手段は、貯水容器の水量の割合に応じて、割合表示の色を変化させるようにしたものであり、貯水容器の水量がどれだけ減っているかが簡単に分かり、使い勝手がよいという効果を有する。
【００３２】
また、本発明の請求項４記載の加湿機能付空気清浄機は、室温を検出する温度検出手段を備え、この温度検出手段により検出した室温と、湿度検出手段により検出した湿度と、送風手段の風量により、水量検出手段が検出した貯水容器の水量で運転可能な時間を演算処理する制御部を有するようにしたものであり、タイマー運転時に貯水容器の水が無くならないよう運転を制御することができるという効果を有する。
【００３３】
また、本発明の請求項５記載の加湿機能付空気清浄機は、デジタル表示手段は、送風手段の風量を設定し運転開始する時に貯水容器の水量で運転可能な時間を一時的に表示するようにしたものであり、使用者が加湿運転を行う際に現在の貯水容器の水量で運転可能な時間を知ることができ、使用者が運転を行いたい時間未満であれば貯水容器に水を供給するよう促すことのできる使い勝手がよいという効果を有する。
【００３４】
また、本発明の請求項６記載の加湿機能付空気清浄機は、デジタル表示手段の表示を、貯水容器の水量表示に設定するか運転可能な時間表示に設定するか任意に設定することの出来る切替スイッチを備えるようにしたものであり、使用者が知りたい情報を選択することができ、使い勝手がよいという効果を有する。
【００３５】
また、本発明の請求項７記載の加湿機能付空気清浄機は、温度、湿度、風量、水量を定期的にサンプリングし、デジタル表示手段の表示が運転可能な時間表示の場合、運転可能な時間表示を更新していくようにしたものであり、空気の状況や水量などの条件変更に応じて、常に新しい運転可能な時間を知ることができ、使い勝手がよいという効果を有する。
【００３６】
また、本発明の請求項８記載の加湿機能付空気清浄機は、デジタル表示手段は、運転可能な時間表示の残り時間に応じて、時間表示の色を変化させるようにしたものであり、貯水容器の水量がどれだけ減っているか、あとどれだけ運転できるかが簡単に分かり、使い勝手がよいという効果を有する。
【００３７】
以下、本発明の実施の形態について図面を参照しながら説明する。
【００３８】
（実施の形態１）
図１に示すように、加湿機能付空気清浄機の本体１は略箱形に形成され、本体１の前側面に吸気口２と上部に排気口３を形成し、前面にデジタル表示手段としての２桁の７セグメントＬＥＤ４、側面に湿度検出手段としての湿度センサー５と貯水容器６を備えている。
【００３９】
また図２に示すように、本体１内には空気清浄手段としての空気清浄フィルター７と、加湿手段としての加湿フィルター８と、吸気口２から室内の空気を空気清浄フィルター７と加湿フィルター８を介して本体１内に吸気し、排気口３より室内に排気する送風手段としてのファンモーター９を備えている。
【００４０】
また図３に示すように、貯水容器６の側面に水量検出手段としての液位センサー１０を配置している。
【００４１】
上記構成において、図４に示すように貯水容器６の水量レベルが４リットルの満タン時には液位センサー１０の出力電圧は５Ｖである。加湿機能付空気清浄機の本体１を運転することにより、貯水容器６の水量が減っていくと、水量レベルに応じて液位センサー１０の出力電圧もリニアに変化することで、貯水容器６の水量を検出することができる。図５に示すように、検出した貯水容器６の水量をリットル表示で７セグメントＬＥＤ４に表示する。満タンの４リットルから３．８リットルまでを４．０表示、３．７リットルから３．３リットルまでを３．５表示、以下図５に示す内容で表示を行う。
【００４２】
また図６に示すように、検出した貯水容器６の水量を満タン時を１００とする割合表示で７セグメントＬＥＤ４に表示し、割合レベルに応じて７セグメントＬＥＤ４の色表示を変更する。満タンの４リットルから３．９リットルまでを満タンを示すＨＩ表示、３．８リットルから３．７リットルまでを９５％を示す９５表示、以下図６に示す内容で表示を行う。７セグメントＬＥＤ４の色表示は、満タン時を示すＨＩ表示から７０％を示す７０表示までを緑色で表示し、６５％を示す６５表示から３５％を示す３５表示までを黄色で表示し、３０％を示す３０表示から空を示すＬＯ表示までを赤色で表示する。
【００４３】
このように貯水容器の水量を複数の段階で検出しリットル表示することで、見易く分かり易い水量表示を行うことができる。
【００４４】
また、貯水容器の水量を複数の段階で検出し満タン時に対する割合表示することで、貯水容器の水量がどれだけ減っているかが簡単に分かり、使い勝手を向上させることができる。
【００４５】
また、貯水容器の水量の割合に応じて割合表示の色を変化させることで、貯水容器の水量がどれだけ減っているかが簡単に分かり、使い勝手を向上させることができる。
【００４６】
なお、実施の形態１では一例として、液位センサー１０の出力電圧をアナログ出力としたが、デジタル出力でも良く、その作用効果に差異を生じない。
【００４７】
（実施の形態２）
本実施の形態は前記実施の形態１と制御方法が異なるのみであり、同一構成のものは同一番号を付して詳しい説明は省略する。
【００４８】
図７に示すように、室温を検出する温度検出手段としてのサーミスタ１１と、貯水容器の水量で運転可能な時間を演算処理する制御部としてのマイクロコンピュータ１２を備えている。また図８、図９に示すように、サーミスタ１１により検出した温度と湿度センサー５により検出した湿度とファンモーター９の風量から単位時間３０分あたりに消費される水量、つまり減算値Δｔを算出するテーブルＡとＢを、マイクロコンピュータ１２はメモリしている。
【００４９】
上記構成において、貯水容器の水量で運転可能な時間の演算処理について図１０に示すフローチャートを用いて動作を説明する。
【００５０】
まず、加湿機能付空気清浄機の本体１に通電され、待機モードとなる。そして、液位センサー１０の検出信号を読込み（Ｓ１）、貯水容器６の水量Ｓリットルを判定（Ｓ２）、７セグメントＬＥＤ４に水量Ｓリットルを表すＳを表示する（Ｓ３）。その状態から運転開始（Ｓ４）され、選択されたファン風量が弱か否かを判定する（Ｓ５）。風量が弱の場合、サーミスタ１１により検出した温度と湿度センサー５により検出した湿度からテーブルＡを参照し、単位時間３０分あたりの水消費量である減算値Δｔ１を決定する（Ｓ６）。そして、マイクロコンピュータ１２は水量Ｓリットルと減算値Δｔ１から運転可能時間を演算処理し算出する（Ｓ７）。すなわち算出式は、運転可能時間（分）＝Ｓ÷Δｔ１×３０である。またＳ５においてファン風量が弱ではない場合、つまり風量強の場合は、サーミスタ１１により検出した温度と湿度センサー５により検出した湿度からテーブルＢを参照し、単位時間３０分あたりの水消費量である減算値Δｔ２を決定する（Ｓ８）。そして、マイクロコンピュータ１２は水量Ｓリットルと減算値Δｔ２から運転可能時間を演算処理し算出する（Ｓ９）。算出式は、運転可能時間（分）＝Ｓ÷Δｔ２×３０である。
【００５１】
次に、貯水容器の水量で運転可能な時間を演算処理し一時的に表示する制御について図１１に示すフローチャートを用いて動作を説明する。
【００５２】
まず、加湿機能付空気清浄機の本体１に通電され、待機モードとなる。そして、液位センサー１０の検出信号を読込み（Ｓ１０）、貯水容器６の水量Ｓリットルを判定（Ｓ１１）、７セグメントＬＥＤ４に水量Ｓリットルを表すＳを表示する（Ｓ１２）。その状態から運転開始（Ｓ１３）され、選択されたファン風量が弱か否かを判定する（Ｓ１４）。風量が弱の場合、サーミスタ１１により検出した温度と湿度センサー５により検出した湿度からテーブルＡを参照し、単位時間３０分あたりの水消費量である減算値Δｔ１を決定する（Ｓ１５）。そして、マイクロコンピュータ１２は水量Ｓリットルと減算値Δｔ１から運転可能時間を演算処理しＴ１を算出する（Ｓ１６）。算出式は、運転可能時間Ｔ１（時間）＝Ｓ÷（Δｔ１×２）である。そして、７セグメントＬＥＤ４にＴ１を表示し（Ｓ１７）、表示時間が所定の時間としてＵ秒経過したか否かを判定する（Ｓ１８）。Ｕ秒経過した場合、７セグメントＬＥＤ４は再度、Ｓを表示する（Ｓ１９）。またＳ１４においてファン風量が弱ではない場合、つまり風量強の場合は、サーミスタ１１により検出した温度と湿度センサー５により検出した湿度からテーブルＢを参照し、単位時間３０分あたりの水消費量である減算値Δｔ２を決定する（Ｓ２０）。そして、マイクロコンピュータ１２は水量Ｓリットルと減算値Δｔ２から運転可能時間を演算処理しＴ２を算出する（Ｓ２１）。算出式は、運転可能時間Ｔ２（時間）＝Ｓ÷（Δｔ２×２）である。そして、７セグメントＬＥＤ４にＴ２を表示し（Ｓ２２）、表示時間がＵ秒経過したか否かを判定する（Ｓ２３）。Ｕ秒経過した場合、７セグメントＬＥＤ４は再度、Ｓを表示する（Ｓ２４）。
【００５３】
このように貯水容器の水量で運転可能時間を算出することで、タイマー運転時に貯水容器の水が無くならないよう運転を制御することができる。
【００５４】
また、貯水容器の水量で運転可能時間を算出し表示することで、使用者が加湿運転を行う際に現在の貯水容器の水量で運転可能な時間を知ることができ、使用者が運転を行いたい時間未満であれば貯水容器に水を供給するよう促すことができ、使い勝手を向上させることができる。
【００５５】
（実施の形態３）
本実施の形態は前記実施の形態１あるいは２と制御方法が異なるのみであり、同一構成のものは同一番号を付して詳しい説明は省略する。
【００５６】
図１２に示すように、７セグメントＬＥＤ４の表示を貯水容器の水量表示に設定するか運転可能な時間表示に設定するか切替えることのできる切替スイッチ１３を備えている。
【００５７】
上記構成において、切替スイッチ制御と貯水容器の水量で運転可能な時間を演算処理し表示を更新する制御について図１３に示すフローチャートを用いて動作を説明する。
【００５８】
まず、加湿機能付空気清浄機の本体１に通電され、待機モードとなる。そして、液位センサー１０の検出信号を読込み（Ｓ２５）、貯水容器６の水量Ｓリットルを判定（Ｓ２６）、７セグメントＬＥＤ４に水量Ｓリットルを表すＳを表示する（Ｓ２７）。その状態から運転開始（Ｓ２８）され、切替スイッチ１３による設定が運転可能時間表示に設定されているか否かを判定する（Ｓ２９）。運転可能時間表示に設定されている場合、ファンモーター９の風量とサーミスタ１１により検出した温度と湿度センサー５により検出した湿度から図８または図９に示すテーブルを参照し、単位時間３０分あたりの水消費量である減算値Δｔを決定する（Ｓ３０）。そして、マイクロコンピュータ１２は水量と減算値Δｔから運転可能時間を演算処理しＴを算出する（Ｓ３１）。そして、７セグメントＬＥＤ４にＴを表示し（Ｓ３２）、つぎに貯水容器６の水量が一例として０．５リットル以上減ったか否かを判定する（Ｓ３３）。水量が０．５リットル以上減っていた場合、貯水容器６の水量を再判定し（Ｓ３４）、Ｓ３０に戻り風量と温度と湿度を再読込みし表示内容を更新していく。またＳ２９において運転可能時間表示設定ではない場合、つまり貯水容器６の水量表示に設定されている場合は、７セグメントＬＥＤ４にＳを表示する（Ｓ３５）。
【００５９】
また図１４に示すように、７セグメントＬＥＤ４に表示する運転可能時間の残り時間レベルに応じて、表示する色を変化させる。
【００６０】
このように切替スイッチを備えることで、使用者が知りたい情報を選択することができ、使い勝手を向上させることができる。
【００６１】
また、運転可能な時間表示を更新していくことで、空気の状況や水量などの条件変更に応じて、常に新しい運転可能な時間を知ることができ、使い勝手を向上させることができる。
【００６２】
また、運転可能な時間表示の残り時間に応じて時間表示の色を変化させることで、貯水容器の水量がどれだけ減っているか、あとどれだけ運転できるかが簡単に分かり、使い勝手を向上させることができる。
【産業上の利用可能性】
【００６３】
貯水容器の水量や運転可能時間を表示することで使い勝手を向上させることができるので、貯水容器を備えた加湿機や除湿機にも適用できる。
【符号の説明】
【００６４】
１    本体
２    吸気口
３    排気口
４    ７セグメントＬＥＤ（デジタル表示手段）
５    湿度センサー（湿度検出手段）
６    貯水容器
７    空気清浄フィルター（空気清浄手段）
８    加湿フィルター（加湿手段）
９    ファンモーター（送風手段）
１０  液位センサー（水量検出手段）
１１  サーミスタ（温度検出手段）
１２  マイクロコンピュータ（制御部）
１３  切替スイッチ
【図１】
2012077940.tif 000003
【図２】
2012077940.tif 000004
【図３】
2012077940.tif 000005
【図４】
2012077940.tif 000006
【図５】
2012077940.tif 000007
【図６】
2012077940.tif 000008
【図７】
2012077940.tif 000009
【図８】
2012077940.tif 000010
【図９】
2012077940.tif 000011
【図１０】
2012077940.tif 000012
【図１１】
2012077940.tif 000013
【図１２】
2012077940.tif 000014
【図１３】
2012077940.tif 000015
【図１４】
2012077940.tif 000016
【図１５】
2012077940.tif 000017
【図１６】
2012077940.tif 000018